(57)【要約】弾性散乱光を専ら除去し、回転ラマン散乱光を除去しないで検出することにより、高い精度で気象観測を実施する気象観測用ライダーを提供すること。実施形態の気象観測ライダーは、レーザ光の散乱光を観測する気象観測ライダーであって、散乱光に含まれる回転ラマン散乱光の波長に応じて回転ラマン散乱光を回折させる回折格子（２０８）と、回折された回転ラマン散乱光を検出する検出器（２２２）と、散乱光に含まれる特定波長の弾性散乱光を専ら除去する除去素子（２１２）と、を備える。
2020075869.tif 000002
【特許請求の範囲】
【請求項１】
レーザ光の散乱光を観測する気象観測ライダーであって、
散乱光に含まれる回転ラマン散乱光を回折させる回折格子と、
回折された前記回転ラマン散乱光を検出する検出器と、
前記散乱光に含まれる弾性散乱光を専ら除去する除去素子と、
を備える、気象観測ライダー。
【請求項２】
前記除去素子は、前記回折格子の後段に配置されるスリットであって、回折された前記散乱光のうち前記弾性散乱光を除去するスリットである、
請求項１に記載の気象観測ライダー。
【請求項３】
前記除去素子は、前記回折格子の前段に配置されるノッチフィルタであって、前記散乱光のうち前記弾性散乱光の通過を阻止または抑制するノッチフィルタである、
請求項１または２に記載の気象観測ライダー。
【請求項４】
前記除去素子は、前記回折格子の前段に配置されるバンドパスフィルタであって、前記散乱光のうち前記弾性散乱光の反射を阻止または抑制するバンドパスフィルタである、
請求項１乃至３のいずれか一項に記載の気象観測ライダー。
【請求項５】
前記散乱光から前記弾性散乱光を減衰させる検光子をさらに備える、
請求項１乃至４のいずれか一項に記載の気象観測ライダー。
【請求項６】
前記回折格子により回折された回折光をさらに回折させる追加回折格子をさらに備える、
請求項１乃至５のいずれか一項に記載の気象観測ライダー。
【請求項７】
前記検出器は、アレー型検知器である、
請求項１乃至６のいずれか一項に記載の気象観測ライダー。
【請求項８】
前記検出器に入射する検出光に残留する前記弾性散乱光を遮断または減衰させるマスクをさらに備える、
請求項１乃至７のいずれか一項に記載の気象観測ライダー。
【請求項９】
前記検出器に入射する検出光に残留する前記弾性散乱光の通過を阻止または抑制するノッチフィルタをさらに備える、
請求項１乃至８のいずれか一項に記載の気象観測ライダー。
【請求項１０】
光路に沿って１以上の凹面鏡を備える、
請求項１乃至９のいずれか一項に記載の気象観測ライダー。
【請求項１１】
光路に沿って１以上の平面鏡を備える、
請求項１乃至１０のいずれか一項に記載の気象観測ライダー。
【発明の詳細な説明】
【技術分野】
【０００１】
本発明は、気象観測用ライダーに関する。
【背景技術】
【０００２】
近年、局地的な豪雨などの異常気象が続いており、気象予測の精度を向上させて異常気象の発生を早い段階で予測し、対策を取ることが望まれている。気象予測精度を向上させるには、地表での各種気象要素の観測、レーダによる上空の観測に加えて、大気境界層内の気温、水蒸気濃度、風向・風速の鉛直分布を観測し、このデータを気象予報モデルに投入して計算することが有効であることが知られている。【０００３】
近年、上空の気温分布や水蒸気濃度、風向・風速を観測するための観測手段として、ライダーが使われている。例えば、風向・風速を計測するライダーはドップラーライダーとして製品化され、風力発電所の建設にあたって風況調査を行うなどに使われている。【０００４】
一方、上空の気温分布や水蒸気濃度を計測する観測装置として、ラマンライダーが注目されている。ラマンライダーは、ある波長のレーザ光を上空に照射し、大気分子によるラマン散乱光を測定する観測装置である。例えば、ＵＶＣ領域（波長２００〜２８０ｎｍ）にあるＹＡＧレーザの４倍波である波長２６６ｎｍを使ったラマンライダーがある（下記非特許文献１参照）。この波長のレーザを使うとき大気中のＨ２Ｏ、Ｎ２による振動ラマン散乱光の波長はそれぞれ２９５ｎｍ、２８４ｎｍである。波長３００ｎｍ以下の太陽光は上空のオゾン層（高度１０〜５０ｋｍ）で吸収され、地表にはほとんど届かず、太陽光はノイズになりにくい。このため、上記ラマンライダーによれば、太陽光の影響をなくし、昼間であっても気象観測をすることができていた。
【先行技術文献】
【非特許文献】
【０００５】
【非特許文献１】M. Froidevaux、他６名、「A new lidar for water vapor and temperature measurements in the Atmospheric Boundary Layer」、AsiaFlux Newsletter Issue ２８、１３−１７、２００９年３月
【発明の概要】
【発明が解決しようとする課題】
【０００６】
ここで、ラマンライダーにおいて、回転ラマン散乱光を測定対象とする場合には、回転ラマン散乱光はラマン効果を受けずに散乱された光であって同時に観測される弾性散乱光（ミー散乱光等）と比較すると１０−７以下と非常に弱い。また、回転ラマン散乱光の波長は、弾性散乱光の波長に比べて１ｎｍ以下といった波長の差しかなく非常に近接しているため、回転ラマン散乱光と弾性散乱光を分離することは困難である。【０００７】
現在製品化されているラマンライダーでは、回折格子で散乱光を分光してから弾性散乱光を含む波長の長い領域の回転ラマン散乱光をミラー等の光学手段で取り除いて、波長の短い領域の回転ラマン散乱光を２つ取り出して両者の強度比を検出して気温等の気象観測情報を得ていた。【０００８】
しかしながら、このような方法では元来微弱な散乱光でしかない回転ラマン散乱光の一部のみを利用しているため、隣接または近接する波長を検出する検出器の出力信号にクロストークが生じてしまうため、測定精度が高くないという問題点があった。【０００９】
そこで、実施態様では、測定精度の高い気象観測用ライダーを提供することを目的とする。
【課題を解決するための手段】
【００１０】
一態様に係る気象観測用ライダーは、レーザ光の散乱光を観測する気象観測ライダーであって、散乱光に含まれる回転ラマン散乱光を回折させる回折格子と、回折された前記回転ラマン散乱光を検出する検出器と、前記散乱光に含まれる弾性散乱光を専ら除去する除去素子と、を備える。
【発明の効果】
【００１１】
上記態様によれば、弾性散乱光を専ら除去し、回転ラマン散乱光を除去しないで検出するので、高い精度で気象観測を実施することができる。
【図面の簡単な説明】
【００１２】
【図１】実施形態における気象観測用ライダーの構成図。
【図２】実施形態１における気象観測用ライダーの気温測定用の分光部の構成図。
【図３】実施形態２における気象観測用ライダーの気温測定用の分光部の構成図。
【図４】実施形態３における気象観測用ライダーの気温測定用の分光部の構成図。
【図５】実施形態４における気象観測用ライダーの気温測定用の分光部の構成図。
【図６】実施形態５における気象観測用ライダーの気温測定用の分光部の構成図。
【図７】実施形態６における気象観測用ライダーの気温測定用の分光部の構成図。
【図８】実施形態７における気象観測用ライダーの気温測定用の分光部の構成図。
【図９】実施形態８における気象観測用ライダーの気温測定用の分光部の構成図。
【図１０】回転ラマン散乱光の波長分布を示す図であり、（ａ）は従来の検出波長を示す図であり、（ｂ）は実施形態の検出波長を示す図。
【発明を実施するための形態】
【００１３】
添付図面を参照して、本発明の好適な実施形態（以下「本実施形態」という。）について説明する（なお、各図において、同一の符号を付したものは、同一又は同様の構成を有する。）。
【００１４】
（基本構成）
まず以降の実施形態に共通する基本構成について説明する。図１に、本実施形態における気象観測ライダーの基本構成を示す。図１に示すように本実施形態の気象観測ライダー１００は、大きく、送信装置１と受信装置２とを備える。本実施形態は、特に受信装置２の詳細に関する。
【００１５】
図１に示すように、送信装置１は、レーザ装置１０、ミラー１２、ビームエクスパンダ１４を主として備える。送信装置１は、紫外線領域の波長を有するレーザ光を上空に射出するための光射出手段としての機能を備える。
【００１６】
レーザ装置１０は、２倍波結晶、４倍波結晶などの光学素子の組み合わせにより、所定の紫外線、例えば、波長２６６ｎｍのレーザ光ビームを射出する光射出手段である。当該レーザ光の波長は、測定したい大気中の成分、例えば水蒸気（Ｈ２Ｏ）分子、窒素（Ｎ２）分子、酸素（Ｏ２）分子に照射されるとラマン効果による回転ラマン散乱光を生じさせるような波長を選択する。ミラー１２は、出力されたレーザ光ビームの方向を上方に反射する光学素子である。ビームエキスパンダ１４は、コヒーレントな平行光として入射したレーザ光ビームの径を拡大して射出光Ｌｏとして出力する光学素子である。
【００１７】
送信装置１は、レーザ光の光路の一部または全体を含む空間の塵埃度を一定以下に保つ精密空調機を備えていてもよい。精密空調機を備えることにより光学部品の損傷を抑制し、耐久性を向上させることができる。また送信装置１は、光学部品及び周辺の空間の温度変化を一定以下に保つ温度調節機構を備えていてもよい。光学系の急激な温度変動を防止することによっても光学部品の損傷を抑制し、耐久性を向上させることができる。光学素子のレーザ損傷閾値（損傷が始まるレーザ光密度）は波長が短いほど小さく、光学素子の損傷は一般的には大きくなる。特に、ＵＶＣ領域の波長のレーザにおいて気象観測用ライダーの安定稼働が難しいが、上記構成を備えることにより、当該領域での安定稼働が実現する。
【００１８】
受信装置２は、望遠鏡２０、絞り２２、分光部２４、及び信号処理部２６を備える。上記送信装置１によって上空に射出された射出光Ｌｏは、大気中の成分、例えば水蒸気（Ｈ２Ｏ）分子、窒素（Ｎ２）分子、酸素（Ｏ２）分子に照射されることによって、ラマン効果による回転ラマン散乱光を生じ、その一部が気象観測ライダー１００に入射光Ｌｉとして入射する。当該受信装置２は、当該入射光Ｌｉに含まれる回転ラマン散乱光を検出する散乱光検出手段としての機能を備える。
【００１９】
望遠鏡２０は、入射光Ｌｉを入射させて光束を収束させる。絞り２２は、収束した入射光Ｌｉを通過させて不要な光成分を除去する。
【００２０】
分光部２４は、本発明に係り、入射光Ｌｉから回転ラマン散乱光を分光して検出し、検出信号を出力する。分光部２４は、全ての実施形態に共通光学要素として、散乱光に含まれる回転ラマン散乱光を回折させる回折格子と、回折された回転ラマン散乱光を検出する検出器と、散乱光に含まれる弾性散乱光を専ら除去する除去素子と、を備える。具体的構成については、図２以降を用いて実施形態１以降で詳述する。
【００２１】
信号処理部２６は、回転ラマン散乱光を検出することによって得られた検出信号を入力して解析し、複数波長の回転ラマン散乱光の強度に基づいて、ラマン効果を生じさせた上空の大気の成分や温度を求める。
【００２２】
（実施形態１）
実施形態１は、特に上記除去素子として、回折素子の後段に配置され、回折された散乱光のうち弾性散乱光を除去するスリットを備える例に関する。
図２は、実施形態１における気象観測ライダー１００の分光部２４の構成を示す。図２に示すように、実施形態１の分光器２４は、入射レンズ２０２、第１スリット２０４、凹面鏡２０６、第１回折格子２０８、凹面鏡２１０、第２スリット２１２、ミラー２１４、凹面鏡２１６、第２回折格子２１８、凹面鏡２２０、及び検出器２２０を備える。上記の共通光学要素としては、第１回折格子２０８及び第２回折格子２１８が上記回折格子に相当し、第２スリット２１２が上記除去素子に相当し、検出器２２２が上記検出器に相当する。
【００２３】
入射レンズ２０２は分光器２４に入射した入射光Ｌｉを収束させる。第１スリット２０４は収束された入射光Ｌｉから不要な成分を取り除く。凹面鏡２０６は、第１スリット２０４を通過した拡散した入射光Ｌｉを平行光に変換する。
【００２４】
第１回折格子２０８は、平行光となって入射光Ｌｉに含まれる回転ラマン散乱光の波長に応じた回折を生じさる。第１回折格子２０８から出力される回折光には、回転ラマン散乱光Ｌｒと弾性散乱光Ｌｅとが含まれる。弾性散乱光Ｌｅはラマン効果を生じていないので、送信装置１から出力された射出光Ｌｏと同じ波長を有する。図１０に示すように、回転ラマン散乱光Ｌｒは、ラマン効果を生じることにより、射出光Ｌｏの波長に対してわずかに短い複数の波長からなる回転ラマン散乱光と、射出光Ｌｏの波長に対してわずかに長い複数の波長からなる回転ラマン散乱光とを含む。よって第１回折格子２０８からの回折光は、射出光Ｌｏと同じ波長を有する弾性散乱光Ｌｅを中心に、波長の短い領域と波長の長い領域とに分散する回転ラマン散乱光の束となっている。
【００２５】
凹面鏡２１０は、回折光の方向を変えて第２スリット２１２に適切に入射させる。第２スリット２１２は、入射した回折光のうち弾性散乱光Ｌｅを専ら除去し、残りの回転ラマン散乱光Ｌｒを反射させる。ミラー２１４は、第２スリット２１２からの回折光を反射させる。凹面鏡２１６は、ミラー２１４で反射された回折光を平行光として第２回折光２１８に入射させる。第２回折格子２１８は、再び入射した回折光を波長に応じて回折させる。凹面鏡２２０は、第２回折格子２１８からの回折光を検出器２２に集光させる。
【００２６】
検出器２２０は、波長に応じて異なる位置に入射する回転ラマン散乱光の各々を検出可能なように、好ましくはアレー型検知器として構成される。検出された回転ラマン散乱光は検出信号として出力される。
【００２７】
従来の気象観測ライダーでは、図１０（ａ）に示すようなスペクトラムで入射した入射光Ｌｉのうち、射出された射出光Ｌｏと同じ波長を有する弾性散乱光Ｌｅを除去するために、弾性散乱光Ｌｅのほかに、弾性散乱光Ｌｅの波長に対して異なる複数の波長からなる回転ラマン散乱光を含む広い範囲が除去され、弾性散乱光Ｌｅの波長に対してわずかに短い２つの波長λ１及びλ２を有する回転ラマン散乱光のみを検出していた。この点、本実施形態１によれば、除去素子としてスリットを用いることにより、図１０（ｂ）に示すように、弾性散乱光Ｌｅを専ら除去して、弾性散乱光Ｌｅの波長に対して短い他の複数の波長及び断線散乱光Ｌｅに対して長い複数の波長からなる広範な範囲の回転ラマン散乱光をも検出する。このため、多数の回転ラマン散乱光に基づいて、高精度な検出信号を出力することができる。
【００２８】
（実施形態２）
実施形態２は、特に散乱光から前記弾性散乱光を減衰させる検光子をさらに備える点で上記実施形態１と異なる。
図３は、実施形態３における気象観測ライダー１００の分光部２４ｂの構成を示す。図３に示すように、実施形態２の分光器２４ｂは、入射レンズ２０２の前段に検光子２０１を備える。また第２スリット２１２に代えてミラー２１１を配置してある。その他の構成要素は、上記実施形態１と同じであり、同じ符号を付してその説明は省略する。
【００２９】
検光子２０１は、入射する散乱光、すなわち入射光Ｌｉから弾性散乱光Ｌｅを減衰させる機能を有する。検光子２０１としては、偏光子や複屈折結晶など公知の光学素子を適用可能である。
【００３０】
一般的に、被測定光である回転ラマン散乱光の偏光解消度は数十％であるのに対し、弾性散乱光の偏光解消度は１％以下である。よって、本実施形態２によれば、弾性散乱光が消光するように検光子２０１を設置したので、弾性散乱光をさらに効果的に抑制することができる。本実施形態の検光子は、以降の実施形態においても同様に適用可能である。
【００３１】
（実施形態３）
実施形態３は、特に除去素子としてノッチフィルタを用いた点で上記実施形態と異なる。
図４は、実施形態３における気象観測ライダー１００の分光部２４ｃの構成を示す。図４に示すように、実施形態３の分光器２４ｃは、第１回折格子２０８の前段にノッチフィルタ２０７を備える。その他の構成要素は、上記実施形態１と同じであり、同じ符号を付してその説明は省略する。上記の共通光学要素としては、第１回折格子２０８及び第２回折格子２１８が上記回折格子に相当し、ノッチフィルタ２０７が上記除去素子に相当し、検出器２２２が上記検出器に相当する。
【００３２】
ノッチフィルタ２０７は、特定波長の光、ここでは弾性散乱光Ｌｅの通過を阻止したり抑制したりするフィルタ機能を有する光学素子であり、公知のものを適用可能である。
【００３３】
本実施形態３によれば、除去素子としてノッチフィルタを用いることにより、弾性散乱光Ｌｅを専ら除去して、高精度な検出信号を出力することができる。なお、ノッチフィルタ２０７の性能次第では、図４に示すように除去しきれない残留弾性散乱光Ｌｅｒが検出器２２２に入射することがある。しかし、このような残留弾性散乱光Ｌｅｒは、実施形態７で後述するマスクや実施形態８で後述するノッチフィルタで遮断または減衰、阻止または抑制させることができる。
【００３４】
（実施形態４）
実施形態４は、特に除去素子としてバンドパスフィルタを用いた点で上記実施形態と異なる。
図５は、実施形態４における気象観測ライダー１００の分光部２４ｄの構成を示す。図５に示すように、実施形態４の分光器２４ｄは、第１回折格子２０８の前段にバンドパスフィルタ２０９を備える。その他の構成要素は、上記実施形態１と同じであり、同じ符号を付してその説明は省略する。但し、実施形態１の構成要素のうち、凹面鏡２１０、第２スリット２１２、ミラー２１４、凹面鏡２１６を削除してある。上記の共通光学要素としては、第１回折格子２０８及び第２回折格子２１８が上記回折格子に相当し、バンドパスフィルタ２０９が上記除去素子に相当し、検出器２２２が上記検出器に相当する。
【００３５】
本実施形態４によれば、除去素子としてバンドパスフィルタを用いることにより、弾性散乱光Ｌｅを専ら除去して、高精度な検出信号を出力することができる。さらにミラーや凹面鏡という幾つかの光学要素を省略しても上記実施形態と同様の機能を達成可能である。なお、バンドパスフィルタ２０９の性能次第では、図５に示すように除去しきれない残留弾性散乱光Ｌｅｒが検出器２２２に入射することがある。しかし、このような残留弾性散乱光Ｌｅｒは、実施形態７で後述するマスクや実施形態８で後述するノッチフィルタで遮断または減衰、阻止または抑制させることができる。
【００３６】
（実施形態５）
実施形態５は、特に除去素子としてノッチフィルタを用いた変形例に関する。
図６は、実施形態５における気象観測ライダー１００の分光部２４ｅの構成を示す。図６に示すように、実施形態５の分光器２４ｅは、第１回折格子２０８の前段にノッチフィルタ２０７を備える点で実施形態３と同じであるが、第１回路格子２０８以降の構成要素のうち、凹面鏡２１０、ミラー２１１、ミラー２１４、凹面鏡２１６、第２回折格子２１８を削除してある。上記の共通光学要素としては、第１回折格子２０８が上記回折格子に相当し、ノッチフィルタ２０７が上記除去素子に相当し、検出器２２２が上記検出器に相当する。
【００３７】
本実施形態５によれば、除去素子としてノッチフィルタを用いることにより、弾性散乱光Ｌｅを専ら除去して、高精度な検出信号を出力することができる。さらにミラーや凹面鏡という幾つかの光学要素を省略しても上記実施形態と同様の機能を達成可能である。なお、ノッチフィルタ２０７の性能次第では、図６に示すように除去しきれない残留弾性散乱光Ｌｅｒが検出器２２２に入射することがある。しかし、このような残留弾性散乱光Ｌｅｒは、実施形態７で後述するマスクや実施形態８で後述するノッチフィルタで遮断または減衰、阻止または抑制させることができる。
【００３８】
（実施形態６）
実施形態６は、特に除去素子としてバンドパスフィルタを用いた変形例に関する。
図７は、実施形態６における気象観測ライダー１００の分光部２４ｆの構成を示す。図７に示すように、実施形態６の分光器２４ｆは、第１回折格子２０８の前段にバンドパスフィルタ２０９を備える点で実施形態４と同じであるが、第１回路格子２０８以降の構成要素のうち、第２回折格子２１８に代えて、ミラー２１７を配置してある点で実施形態４と異なる。上記の共通光学要素としては、第１回折格子２０８が上記回折格子に相当し、バンドパスフィルタ２０９が上記除去素子に相当し、検出器２２２が上記検出器に相当する。
【００３９】
なお、上記実施形態５で説明したノッチフィルタを当該実施形態のバンドパスフィルタと組み合わせて使用することも可能である。
【００４０】
本実施形態６によれば、除去素子としてバンドパスフィルタを用いることにより、弾性散乱光Ｌｅを専ら除去して、高精度な検出信号を出力することができる。さらに追加の第２回折格子を省略しても上記実施形態と同様の機能を達成可能である。なお、バンドパスフィルタ２０９の性能次第では、図４に示すように除去しきれない残留弾性散乱光Ｌｅｒが検出器２２２に入射することがある。しかし、このような残留弾性散乱光Ｌｅｒは、実施形態７で後述するマスクや実施形態８で後述するノッチフィルタで遮断または減衰、阻止または抑制させることができる。
【００４１】
（実施形態７）
実施形態７は、特にマスクを備えた点で上記実施形態と異なる。
図８は、実施形態７における気象観測ライダー１００の分光部２４ｇの構成を示す。図８に示すように、分光器２４ｇは、検出器２２２の入射面にマスク２２４を備える点で、上記実施形態と異なる。図８では、凹面鏡２２０の前段の構成について図示を省略しており、上記実施形態の各構成を適宜適用可能である。
【００４２】
マスク２２４は、検出器２２２に入射する検出光に残留する弾性散乱光Ｌｅを遮断または減衰させる遮光手段である。遮光機能を有する公知の材料をマスク２２４に適用可能である。
【００４３】
回転ラマン散乱光Ｌｒは、その波長ごとに強度を取得する必要があるため、検出器２２２には、アレイ検出器を用いることが好ましい。上記各実施形態で説明した分光部２４により検出器２２２の前段までで弾性散乱光を相当程度除去することはできるが、光学素子の性能次第では、弾性散乱光Ｌｅは一定の割合で検出器２２２へ到達する。このような残留した弾性散乱光Ｌｅは、アレイ検出器で隣接する回転ラマン信号の個々の検出素子へも混入するためノイズとなる。
【００４４】
この点、本実施形態７によれば、アレイ検出器の弾性散乱光に相当する箇所にマスク２２４を設けたので、残留する弾性散乱光の影響を軽減し、さらに高精度な検出信号を出力することができる。
【００４５】
（実施形態８）
実施形態８は、マスクに代えてノッチフィルタを備えた点で上記実施形態７と異なる。
図９は、実施形態８における気象観測ライダー１００の分光部２４ｈの構成を示す。図９に示すように、分光器２４ｈは、検出器２２２の入射面にノッチフィルタ２２６を備える点で、上記実施形態７と異なる。図９では、凹面鏡２２０の前段の構成について図示を省略しており、上記実施形態の各構成を適宜適用可能である。
【００４６】
ノッチフィルタ２２６は、検出器２２２に入射する検出光に残留する弾性散乱光Ｌｅの通過を阻止または抑制するろ過手段である。ろ過機能を有する公知の材料をノッチフィルタ２２６に適用可能である。
【００４７】
本実施形態８によれば、検出器２２２の直前にノッチフィルタ２２６を設けたので、残留する弾性散乱光の影響を軽減し、さらに高精度な検出信号を出力することができる。
【００４８】
（その他の変形例）
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００４９】
なお、レーザ光の波長は２６６ｎｍが好適であるが、これより長い波長のレーザを使った場合にも程度の差はあるが同様な効果が得られる。長い波長の例として、ＹＡＧレーザの3倍波の波長３５５ｎｍ、２倍波５３２ｎｍ、エキシマレーザの２４８ｎｍ、３０８ｎｍ、３５１ｎｍなどがある。
【符号の説明】
【００５０】
１…送信装置、２…受信装置、２４、２４ｂ〜２４ｈ…分光器２４、２０１…検光子、２０２…入射レンズ、２０４…第１スリット、２０４、２０６、２１０、２１６、２２０…凹面鏡、２０７，２２６…ノッチフィルタ、２０８…第１回折格子２０８、２０９…バンドパスフィルタ、２１１，２１４、２１７…ミラー、２１２…第２スリット、２１８…第２回折格子、２２２…検出器、２２４…マスク、１００…気象観測ライダー
【図１】
2020075869.tif 000003
【図２】
2020075869.tif 000004
【図３】
2020075869.tif 000005
【図４】
2020075869.tif 000006
【図５】
2020075869.tif 000007
【図６】
2020075869.tif 000008
【図７】
2020075869.tif 000009
【図８】
2020075869.tif 000010
【図９】
2020075869.tif 000011
【図１０】
2020075869.tif 000012
【国際調査報告】
2020075869.tif 000013
2020075869.tif 000014
2020075869.tif 000015
2020075869.tif 000016